【手続補正書】
【提出日】平成25年6月21日(2013.6.21)
【手続補正１】
【補正対象書類名】明細書
【補正対象項目名】発明の名称
【補正方法】変更
【補正の内容】
【発明の名称】画像処理装置、画像処理方法および画像記録装置
【手続補正２】
【補正対象書類名】明細書
【補正対象項目名】０００１
【補正方法】変更
【補正の内容】
【０００１】
本発明は、画像処理装置、画像処理方法および画像記録装置に関する。
【手続補正３】
【補正対象書類名】明細書
【補正対象項目名】０００７
【補正方法】変更
【補正の内容】
【０００７】
本発明の目的は、インクを吐出するノズル間の吐出特性のばらつきに起因して、異なる種類の複数のインクの混色により形成される色画像に生じる色むらを高精度にかつ効率的に低減可能な画像処理装置、画像記録装置および画像処理方法を提供することにある。
【手続補正４】
【補正対象書類名】明細書
【補正対象項目名】０００８
【補正方法】変更
【補正の内容】
【０００８】
本発明に係る画像処理装置は、記録媒体上の第１の領域に第１のインクを吐出するための所定のノズルと記録媒体上の第１の領域と異なる第２の領域に第１のインクを吐出するための所定のノズルと異なる他のノズルとを含む第１のインクを吐出するための複数のノズルが配列された第１のノズル列と、第１の領域に第１のインクと異なる第２のインクを吐出するための所定のノズルと第２の領域に第２のインクを吐出するための所定のノズルと異なる他のノズルとを含む第２のインクを吐出するための複数のノズルが配列された第２のノズル列と、を用いて記録媒体上に画像を記録するための画像処理を行う画像処理装置であって、所定の色を示す色信号の入力に基づいて第１、第２のノズル列のそれぞれに配列された所定のノズルを少なくとも含む複数のノズルからなる第１のノズル群により第１の画像を第１の領域に記録させ、且つ、所定の色を示す色信号の入力に基づいて第１、第２のノズル列のそれぞれに配列された他のノズルを少なくとも含む複数のノズルからなる第２のノズル群により第２の画像を第２の領域に記録させる第１の記録制御手段と、第１の画像に対する色補正の指示に関する情報を取得する第１の取得手段と、所定の色を示す色信号に対してそれぞれ互いに異なる複数の色補正を行うことにより得られる複数の補正色を示す色信号の入力に基づいて、第１のノズル群による記録を行わせるための色信号を補正するために用いられる複数の補正色画像を第１のノズル群により記録させる第２の記録制御手段と、を有することを特徴とする。
【手続補正５】
【補正対象書類名】特許請求の範囲
【補正対象項目名】全文
【補正方法】変更
【補正の内容】
【特許請求の範囲】
【請求項１】
記録媒体上の第１の領域に第１のインクを吐出するための所定のノズルと前記記録媒体上の前記第１の領域と異なる第２の領域に前記第１のインクを吐出するための前記所定のノズルと異なる他のノズルとを含む前記第１のインクを吐出するための複数のノズルが配列された第１のノズル列と、
前記第１の領域に前記第１のインクと異なる第２のインクを吐出するための所定のノズルと前記第２の領域に前記第２のインクを吐出するための前記所定のノズルと異なる他のノズルとを含む前記第２のインクを吐出するための複数のノズルが配列された第２のノズル列と、
を用いて記録媒体上に画像を記録するための画像処理を行う画像処理装置であって、
所定の色を示す色信号の入力に基づいて前記第１、第２のノズル列のそれぞれに配列された前記所定のノズルを少なくとも含む複数のノズルからなる第１のノズル群により第１の画像を前記第１の領域に記録させ、且つ、前記所定の色を示す色信号の入力に基づいて前記第１、第２のノズル列のそれぞれに配列された前記他のノズルを少なくとも含む複数のノズルからなる第２のノズル群により第２の画像を前記第２の領域に記録させる第１の記録制御手段と、
前記第１の画像に対する色補正の指示に関する情報を取得する第１の取得手段と、
前記所定の色を示す色信号に対してそれぞれ互いに異なる複数の色補正を行うことにより得られる複数の補正色を示す色信号の入力に基づいて、前記第１のノズル群による記録を行わせるための色信号を補正するために用いられる複数の補正色画像を前記第１のノズル群により記録させる第２の記録制御手段と、を有することを特徴とする画像処理装置。
【請求項２】
前記複数の補正色の中からの補正色の特定に関する情報を取得する第２の取得手段と、
前記所定の色を示す色信号の入力に基づいて画像を記録する場合、前記第１のノズル群からは前記第２の取得手段により取得された特定された補正色を示す色信号を出力し、且つ、前記第２のノズル群からは前記所定の色を示す色信号を出力する出力手段と、を更に有することを特徴とする請求項１に記載の画像処理装置。
【請求項３】
前記第２の記録制御手段は、前記第２のノズル群から前記所定の色を示す色信号に基づいて前記複数の補正色画像を記録させることを特徴とする請求項１または２に記載の画像処理装置。
【請求項４】
前記複数の補正色画像のうちの少なくとも１つの補正色画像は、前記所定の色に対する色補正が行われないことを特徴とする請求項１から３のいずれか１項に記載の画像処理装置。
【請求項５】
前記第１の記録制御手段は、前記第１の領域に記録される前記第１の画像の近傍に前記第１のノズル列内の前記所定のノズルの前記配列方向における位置に関する情報を記録させ、且つ、前記第２の領域に記録される前記第２の画像の近傍に前記第１のノズル列内の前記所定のノズルと異なるノズルの前記配列方向における位置に関する情報を記録させることを特徴とする請求項１から４のいずれか１項に記載の画像処理装置。
【請求項６】
前記第２の記録制御手段は、前記第１の領域に記録される前記補正色画像の近傍に前記第１のノズル列内の前記所定のノズルの前記配列方向における位置に関する情報を記録させることを特徴とする請求項１から５のいずれか１項に記載の画像処理装置。
【請求項７】
前記第１の記録制御手段に応じて記録された前記第１の画像への色補正の指示を受け付けるための情報を表示させる表示手段を更に有することを特徴とする請求項２に記載の画像処理装置。
【請求項８】
前記表示手段は、前記第１、２の画像への色補正の指示を受け付けるための情報を表示し、
前記第１の取得手段は、前記表示手段により表示させられた前記第１、２の画像への色補正の指示を受け付けるための情報からユーザーが選択した前記第１の画像に対する色補正の指示に関する情報を取得することを特徴とする請求項７に記載の画像処理装置。
【請求項９】
前記表示手段は、前記第２の記録制御手段に応じて記録された前記複数の補正色の中から前記の補正色をユーザーが特定するための情報を表示することを特徴とする請求項７または８に記載の画像処理装置。
【請求項１０】
前記第２の取得手段は、ユーザーによる前記補正色の特定に基づいて前記補正色の特定に関する情報を取得することを特徴とする請求項９に記載の画像処理装置。
【請求項１１】
前記第１の画像は、前記第２の画像に対して発色が異なることを特徴とする請求項１から１０のいずれか１項に記載の画像処理装置。
【請求項１２】
前記所定の色を示す信号は、ＲＧＢ信号であることを特徴とする請求項１から１１のいずれか１項に記載の画像処理装置。
【請求項１３】
前記補正色を示す信号は、それぞれＲＧＢ信号であることを特徴とする請求項１２に記載の画像処理装置。
【請求項１４】
入力された画像の色を示すＲＧＢ信号を前記所定の色を示すＲＧＢ信号に変換する第１の変換手段と、
前記所定の色を示すＲＧＢ信号と前記複数の補正色を示すＲＧＢ信号をインクの色を示す信号に変換する第２の変換手段と、を更に有することを特徴とする請求項１３に記載の画像処理装置。
【請求項１５】
記録媒体上の第１の領域に第１のインクを吐出するための所定のノズルと前記記録媒体上の前記第１の領域と異なる第２の領域に前記第１のインクを吐出するための前記所定のノズルと異なる他のノズルとを含む前記第１のインクを吐出するための複数のノズルが配列された第１のノズル列と、
前記第１の領域に前記第１のインクと異なる第２のインクを吐出するための所定のノズルと前記第２の領域に前記第２のインクを吐出するための前記所定のノズルと異なる他のノズルとを含む前記第２のインクを吐出するための複数のノズルが配列された第２のノズル列と、
を用いて記録媒体上に画像を記録するための画像処理を行う画像処理方法であって、
所定の色を示す色信号の入力に基づいて前記第１、第２のノズル列のそれぞれに配列された前記所定のノズルを少なくとも含む複数のノズルからなる第１のノズル群により第１の画像を前記第１の領域に記録させ、且つ、前記所定の色を示す色信号の入力に基づいて前記第１、第２のノズル列のそれぞれに配列された前記他のノズルを少なくとも含む複数のノズルからなる第２のノズル群により第２の画像を前記第２の領域に記録させるステップと、
前記第１の画像に対する色補正の指示に関する情報を取得するステップと、
前記所定の色を示す色信号に対してそれぞれ互いに異なる複数の色補正を行うことにより得られる複数の補正色を示す色信号の入力に基づいて、前記第１のノズル群による記録を行わせるための色信号を補正するために用いられる複数の補正色画像を前記第１のノズル群により記録させるステップと、を有することを特徴とする画像処理方法。
【請求項１６】
前記複数の補正色の中からの補正色の特定に関する情報を取得するステップと、
前記所定の色を示す色信号の入力に基づいて画像を記録する場合、前記第１のノズル群からは前記第２の取得手段により取得された特定された補正色を示す色信号を出力し、且つ、前記第２のノズル群からは前記所定の色を示す色信号を出力するステップと、を更に有することを特徴とする請求項１５に記載の画像処理方法。
【請求項１７】
記録媒体上の第１の領域に第１のインクを吐出するための所定のノズルと前記記録媒体上の前記第１の領域と異なる第２の領域に前記第１のインクを吐出するための前記所定のノズルと異なる他のノズルとを含む前記第１のインクを吐出するための複数のノズルが配列された第１のノズル列と、
前記第１の領域に前記第１のインクと異なる第２のインクを吐出するための所定のノズルと前記第２の領域に前記第２のインクを吐出するための前記所定のノズルと異なる他のノズルとを含む前記第２のインクを吐出するための複数のノズルが配列された第２のノズル列と、
を用いて記録媒体上に画像を記録する画像記録装置であって、
所定の色を示す色信号の入力に基づいて前記第１、第２のノズル列のそれぞれに配列された前記所定のノズルを少なくとも含む複数のノズルからなる第１のノズル群により第１の画像を前記第１の領域に記録し、且つ、前記所定の色を示す色信号の入力に基づいて前記第１、第２のノズル列のそれぞれに配列された前記他のノズルを少なくとも含む複数のノズルからなる第２のノズル群により第２の画像を前記第２の領域に記録する第１の記録手段と、
前記第１の画像に対する色補正の指示に関する情報を受信する受信手段と、
前記所定の色を示す色信号に対してそれぞれ互いに異なる複数の色補正を行うことにより得られる複数の補正色を示す色信号の入力に基づいて、前記第１のノズル群による記録を行わせるための色信号を補正するために用いられる複数の補正色画像を前記第１のノズル群により記録する第２の記録手段と、を有することを特徴とする画像記録装置。
【請求項１８】
前記複数の補正色の中からの補正色の特定に関する情報を取得する第２の取得手段と、
前記所定の色を示す色信号の入力に基づいて画像を記録する場合、前記第１のノズル群からは前記第２の取得手段により取得された特定された前記所定の補正色を示す色信号を出力し、且つ、前記第２のノズル群からは前記所定の色を示す色信号を出力して記録する第３の記録手段と、を更に有することを特徴とする請求項１７に記載の画像記録装置。